(57)【要約】【課題】レジ係の店員がレジ台へ持って来られた籠の中の商品をレジに入力しながらそのまま袋詰めし、それによって客が商品を自分で袋詰めする作業の手間を省けるようにするための袋重ね合わせ体を提供する。【解決手段】プラスチック製袋１を複数枚重ね合わせてなる袋重ね合わせ体Ａであって、各袋１は、前壁２と後壁３と前後両壁２，３の左右両端部間に介在する左右襠部４，４とから構成され、各袋１の上端部に口部５が形成され、口部５の左右両側に把手６が形成され、口部５の底部には前後両壁２，３から夫々上向き突出するタブ７，８が形成され、各把手６には把手支持用切り込みが設けられ、各タブ７，８にはタブ支持用切り込み１０が設けられ、各袋１は、互いに重ね合わせて所要箇所を型押し手段により局部的に圧縮して局部圧縮部Ｋを形成することによって互いに切り離し可能に接合されている。【選択図】図３
2006306446.tif 000002
【特許請求の範囲】
【請求項１】
プラスチック製の袋を複数枚重ね合わせてなる袋重ね合わせ体であって、各袋は、前壁と後壁と前後両壁の左右両端部間に介在する左右の襠部とから構成され、各袋の上端部に口部が形成されると共に、口部の左右両側に把手が形成され、口部の底部には前後両壁から夫々上向き突出するタブが形成され、各把手には把手支持用切り込みが設けられ、各タブにはタブ支持用切り込みが設けられ、しかして各袋は、互いに重ね合わせて所要箇所を型押し手段で局部的に圧縮して局部圧縮部を形成することによって互いに切り離し可能に接合されていることを特徴とする袋重ね合わせ体。
【請求項２】
局部圧縮部は、左右各把手及びタブに形成されていることを特徴とする請求項１に記載の袋重ね合わせ体。
【請求項３】
前記型押し手段は、先端部が厚肉円筒状に形成されたパンチと、このパンチの下方に配置される基台とからなることを特徴とする請求項１又は２に記載の袋重ね合わせ体。
【請求項４】
各袋１は、互いに重ね合わせられる前に予めコロナ放電による表面処理が施されていることを特徴とする請求項１〜３の何れかに記載の袋重ね合わせ体。
【発明の詳細な説明】
【技術分野】
【０００１】
本発明は、スーパーマーケット等で買い物をした商品を入れるポリエチレン等のプラスチック製の包装用袋に関するもので、更に詳しくは、この袋を複数枚切り離し可能に重ね合わせてなる袋重ね合わせ体に関する。
【背景技術】
【０００２】
従来、スーパーマーケットにおいては、客がその店の買い物籠に商品を入れてレジ台へ持っていくと、レジ係の店員が籠の中の商品を一つずつレジに入力しながら別の籠に移し換えて、その籠に包装用のポリ袋を入れ、しかして客は代金を払った後、籠を受け取って袋詰め台まで持って行き、自分で籠の中の商品をポリ袋に詰めるようになっている。
【発明の開示】
【発明が解決しようとする課題】
【０００３】
本発明は、レジ係の店員がレジ台へ持って来られた籠の中の商品をレジに入力しながら店員がそのまま袋詰めし、それによって客が商品を自分で袋詰めする作業の手間を省けるようにするための袋重ね合わせ体を提供することを目的とする。
【課題を解決するための手段】
【０００４】
上記課題を解決するための手段を、後述する実施形態の参照符号を付して説明すると、請求項１に係る発明は、プラスチック製の袋１を複数枚重ね合わせてなる袋重ね合わせ体Ａであって、各袋１は、前壁２と後壁３と前後両壁２，３の左右両端部間に介在する左右の襠部４，４とから構成され、各袋１の上端部に口部５が形成されると共に、口部５の左右両側に把手６が形成され、口部５の底部には前後両壁２，３から夫々上向き突出するタブ７，８が形成され、各把手６には把手支持用切り込みが設けられ、各タブ７，８にはタブ支持用切り込み１０が設けられ、しかして各袋１は、互いに重ね合わせて所要箇所を型押し手段１１で局部的に圧縮して局部圧縮部Ｋを形成することによって互いに切り離し可能に接合されていることを特徴とする。
【０００５】
請求項２は、請求項１に記載の袋重ね合わせ体において、局部圧縮部Ｋは、左右各把手６及びタブ７，８に形成されていることを特徴とする。
【０００６】
請求項３は、請求項１又は２に記載の袋重ね合わせ体において、前記型押し手段１１は、先端部１２が厚肉円筒状に形成されたパンチ１３と、このパンチ１３の下方に配置される基台１５とからなることを特徴とする。
【０００７】
請求項４は、請求項１〜３の何れかに記載の袋重ね合わせ体Ａにおいて、各袋１は、互いに重ね合わせられる前に予めコロナ放電による表面処理が施されていることを特徴とする。
【発明の効果】
【０００８】
上記解決手段による発明の効果を、後述する実施形態の参照符号を付して説明すると、請求項１に係る発明の袋重ね合わせ体Ａによれば、使用にあたって、この袋重ね合わせ体Ａを袋体支持ラックＲに支持させる。即ち、袋１の左右の把手支持用切り込み９，９に袋体支持ラックＲの左右両支持アーム１８，１８を夫々挿通させ、タブ支持用切り込み１０に支持フィンガー２０を挿通させる。こうして、袋重ね合わせ体Ａを袋体支持ラックＲに支持させた状態で、袋重ね合わせ体Ａの一番手前側の袋１のタブ７を手前へ引っ張ると、この一番手前側の袋１が開いた状態となる。
【０００９】
この時、一番手前側の袋１の後壁３、把手６の後壁側部分６ｂ及びタブ８は、次の袋１の前壁２、把手６の前壁側部分６ａ及びタブ７に夫々局部圧縮部Ｋを介してくっついた状態となっているから、この一番手前側の袋１は、その口部５を開いた状態で、後続の袋１とつながっている。従って、この一番手前側の袋１を更に手前側へ引っ張って、口部５を開いた状態で、この袋１の中に買った商品を入れて袋詰めすることができる。しかして、一番手前側の袋１の口部５を開いた状態で商品を入れて袋詰めした後、この袋詰めした一番手前側の袋１を手前側へ引っ張ると、この袋１が後続の袋１から切り離され、後続の袋１は口部５を広げてスタンバイした状態となり、このスタンバイ状態の袋１が一番手前側の袋１となる。
【００１０】
従って、このような袋重ね合わせ体Ａをスーパーマーケットのレジ台の近傍に設置した袋体支持ラックＲに支持させておくことにより、客がその店の買い物籠に商品を入れてレジ台へ持っていけば、レジ係の店員は、籠の中の商品を一つずつレジに入力しながら、その商品を、従来のように別の籠に移し替えることなく、袋体支持ラックＲ上に口部５を開いてスタンバイしている袋１に入れることができるから、客が商品を自分で袋詰めする作業の手間が省け、商品の袋詰めサービスに大きく貢献することができる。
【００１１】
請求項２に係る発明によれば、局部圧縮部Ｋが左右各把手６及びタブ７，８に形成されているから、各袋１の口部５側がバラバラにならず、袋重ね合わせ体Ａの形が安定して、保管や袋体支持ラックＲへの支持が容易となる。
【００１２】
請求項３に係る発明によれば、型押し手段１１は、先端部１２が厚肉円筒状に形成されたパンチ１３と、このパンチ１３の下方に配置される基台１５とからなるため、袋重ね合わせ体Ａの各袋１を傷つけたり、破損したりすることなく、袋重ね合わせ体Ａの所要部に的確に局部圧縮部Ｋを形成することができ、しかも形成された局部圧縮部Ｋは、袋１どうしを確実に接合することができると共に、袋１どうしを容易に切り離すことができる。
【００１３】
請求項４に係る発明によれば、各袋１は、互いに重ね合わせられる前に予めコロナ放電による表面処理が施されているから、袋１どうしが引っ付き易くなって、袋１どうしを有効に重ね合わせることができる。
【発明を実施するための最良の形態】
【００１４】
以下に本発明の好適実施形態について図面を参照して説明すると、先ず、図１は本発明に係る袋１が複数枚重ね合わさった袋重ね合わせ体Ａの正面図、図２は袋重ね合わせ体Ａの一枚の袋１を示す斜視図、図３は袋重ね合わせ体Ａを袋支持ラックＲに支持させた状態を示す斜視図である。
【００１５】
袋１は、図１及び図２から分かるように、ポリエチレンシート材によって形成された所謂ポリ袋で、前壁２と、後壁３と、前後両壁２，３の左右両側端部間に介在する左右の襠部４，４とによって密封袋状に形成された密封袋状態から、この密閉袋の上端部に口部５が形成されると共に、口部５の左右両側に把手６，６が形成され、この口部５の底部に前後両壁２，３から夫々上向きに突出する山形のタブ７，８が形成されてなるものである。図１及び図２において、Ｓはシール部を示し、また６ａは把手６の前壁側部分、６ｂは把手６の後壁側部分を示す。
【００１６】
袋１の各把手６には、人の耳の形に似た形状に切り込まれる把手支持用切り込み９が設けられ、また各タブ７，８には、キノコの頭の形に似た形状に切り込まれるタブ支持用切り込み１０が設けられ、更にこのタブ支持用切り込み１０の中央部上方にはタブ切り離し用切り込み２１が設けられるようになっている。タブ切り離し用切り込み２１は、各タブ７，８の上端縁とタブ支持用切り込み１０との間に夫々約１ｍｍ程度残して形成される。各袋１は、互いに重ね合わせて所要箇所を図４に示すような型押し手段１１により局部的に圧縮して局部圧縮部Ｋを形成することによって互いに切り離し可能に接合されることになる。尚、この実施形態では、局部圧縮部Ｋは、左右各把手６及びタブ７，８に形成される。
【００１７】
上記のような構成よりなる袋１を所要枚数重ね合わせて袋重ね合わせ体Ａを形成するにあたって、各袋１には前壁２及び後壁３の夫々の表面に、コロナ放電による表面処理が施される。このように各袋１の表面にコロナ放電処理を施すのは、袋１どうしを引っつき易くして、袋１どうしを有効に重ね合わせることができるようにするためである。このコロナ放電処理は、周知のコロナ放電装置を使用して行われる。尚、各袋１の内面にはコロナ放電処理は施されないため、袋１の前壁２と後壁３の内面どうしが引っ付くようなことはない。
【００１８】
次に、型押し手段１１による袋１の接合方法について説明すると、この型押し手段１１は、図４及び図５に示すように、先端部１２が厚肉円筒状に形成されたパンチ１３と、このパンチ１３の下方に配置される基台１５とからなるもので、パンチ１３は、昇降駆動手段としての、例えば油圧シリンダにより昇降駆動されるようになっている。基台１５は、例えば鉄板からなる。
【００１９】
因みに、型押し手段１１のパンチ１３の寸法を例示すれば、先端厚肉円筒部１２の肉厚は１．７ｍｍ、その内径（先端凹部１２ｏの内径）は３．５ｍｍ、凹部１２ｏの深さは３．０ｍｍである。また、図５の(a) 〜(c) から分かるように、厚肉円筒部１２にはその先端部に角部ができないように、先端側が面取りされており、その面取り部をｒで示している。
【００２０】
局部圧縮部Ｋは、各把手６の下端側所要部に１箇所と、山形状タブ７，８の周辺部の６箇所に形成される。このように、局部圧縮部Ｋを左右各把手６とタブ７，８とに形成することにより、各袋１の口部５側がバラバラにならず、袋重ね合わせ体Ａの形が安定して、保管や袋体支持ラックＲへの支持が容易となる。
【００２１】
各局部圧縮部Ｋの形成にあたっては、先ず図４の(a) に示すように、袋１を所要枚数重ね合わせた袋重ね合わせ体Ａを基台１５の上に載せて、局部圧縮部Ｋが形成される位置をパンチ１３と基台１５とで挟むようにセットした状態から、昇降駆動手段によってパンチ１３を下動させることにより、パンチ１３の先端厚肉円筒部１２が袋重ね合わせ体Ａの所要箇所を局部的に圧縮して、図４の(c) に示すような局部圧縮部Ｋを形成し、これによって袋１どうしを切り離し可能に接合する。
【００２２】
上記のような構成よりなる型押し手段１１を使用すれば、袋重ね合わせ体Ａの各袋１を傷つけたり、破損したりすることなく、袋重ね合わせ体Ａの所要部に的確に局部圧縮部Ｋを形成することができ、しかも形成された局部圧縮部Ｋは、袋１どうしを確実に接合することができると共に、袋１どうしを容易に切り離すことができる。
【００２３】
袋重ね合わせ体Ａを支持する袋体支持ラックＲは、図３に示すように、ベース１６上の後端部両側に左右一対の支柱１７，１７を立設し、両支柱１７，１７の夫々上端部から夫々前方へ水平に延びる支持アーム１８，１８を延設すると共に、両支柱１７，１７の上端部どうしをつなぐ連結バー１９を設け、この連結バー１９の中間部に上向きに突出する略Ｌ字状の支持フィンガー２０を設けてなるもので、支持フィンガー２０の上部側は抜け止めのために後方へ傾斜しており、また支持アーム１８の先端部は上向きに屈曲して抜け止め部１８ａを形成している。
【００２４】
この袋体支持ラックＲに袋重ね合わせ体Ａを支持させるには、袋１の左右の把手６，６に設けてある把手支持用切り込み９，９に左右両支持アーム１８，１８を夫々挿通させ、タブ７，８に設けてあるタブ支持用切り込み１０に支持フィンガー２０を挿通させて、図３に示すような状態とすればよい。
【００２５】
上記のようにして袋体支持ラックＲに支持させた袋重ね合わせ体Ａの使用方法について図６及び図７により説明すると、図６の(a) は図３と同じように袋重ね合わせ体Ａを袋体支持ラックＲに支持させた状態を正面側から見た図面ある。この図６の(a) に示す状態から、袋重ね合わせ体Ａの一番手前側の袋１の前壁２に形成されたタブ７を、図６の(b) に示すように手Ｈで手前側（前方側）へ引っ張ると、このタブ７側の局部圧縮部Ｋがタブ８側の局部圧縮部Ｋから剥離して、一番手前側の袋１の前壁２が後壁３から引き離されると共に、各把手６の前壁側部分６ａにある局部圧縮部Ｋが後壁側部分６ｂの局部圧縮部Ｋから剥離して、各把手６の前壁側部分６ａが把手支持用切り込み９，９のところから袋体支持ラックＲの支持アーム１８に沿って手前側へスライドし、これによって当該一番手前側の袋１が開いた状態となる。
【００２６】
この時、一番手前側の袋１の後壁３、把手６の後壁側部分６ｂ及びタブ８は、次の袋１の前壁２、把手６の前壁側部分６ａ及びタブ７に夫々局部圧縮部Ｋを介してくっついた状態となっているから、上記一番手前側の袋１は、その口部５を開いた状態で、次の、即ち後続の袋１とつながっている。従って、この一番手前側の袋１を更に手前側へ引っ張って口部５を大きく開いた状態とすることにより、この袋１の中に買った商品を入れて、袋詰めすることができることになる。尚、タブ７，８が引っ張られる時には、切り離し用の切り込み１が裂けて、図７に示すようにタブ７，８のタブ支持用切り込み１０から上部側が二つに切り離され、その切り離し部片を７ａ，８ａで示す。このようにタブ７，８が二つの切り離し部片を７ａ，８ａに切り離されることによって、各袋１の開口作業が容易となる。
【００２７】
上記のように一番手前側の袋１の口部５を大きく開いた状態で商品を入れて袋詰めした後、この袋詰めした一番手前側の袋１を図７の(a) ，(b) に示すように手前側へ引っ張ると、この一番手前側の袋１のタブ８側の局部圧縮部Ｋが後続の袋１のタブ７側の局部圧縮部Ｋから剥離して、一番手前側の袋１の後壁３が後続の袋１の前壁２から引き離されると共に、一番手前側の袋１の各把手６の後壁側部分６ｂにある局部圧縮部Ｋが後続の袋１の前壁側部分６ａの局部圧縮部Ｋから剥離して、各把手６の後壁側部分６ｂが後続の袋１の前壁側部分６ａから引き離され、それによって一番手前側の袋１が後続の袋１から切り離され、しかして後続の袋１は図７の(b) に示すように口部５を大きく広げてスタンバイした状態となり、このスタンバイした状態の袋１が一番手前側の袋１となる。
【００２８】
上記のように袋体支持ラックＲに支持させた袋重ね合わせ体Ａによると、一番手前側の袋１が口部５を大きく広げた状態でスタンバイしているから、このスタンバイ状態で袋１の中に商品を入れて袋詰めすることができ、しかして商品を詰めた袋１を引っ張って後続の袋１から切り離すことにより、次の後続の袋１が口部５を大きく開いてスタンバイし、以降同様にして、常に一番手前側の袋１が口部５を大きく広げた状態でスタンバイすることになる。
【００２９】
従って、このような袋重ね合わせ体Ａをスーパーマーケットのレジ台の近傍に設置した袋体支持ラックＲに支持させておくことにより、客がその店の買い物籠に商品を入れてレジ台へ持っていけば、レジ係の店員は、籠の中の商品を一つずつレジに入力しながら、その商品を、従来のように別の籠に移し替えることなく、袋体支持ラックＲ上に口部５を開いてスタンバイしている袋１に入れることができるから、客が商品を自分で袋詰めする作業の手間が省け、商品の袋詰めサービスに大きく貢献することができる。
【図面の簡単な説明】
【００３０】
【図１】本発明に係る袋が複数枚重ね合わさった袋重ね合わせ体の正面図である。
【図２】袋重ね合わせ体の一枚の袋を示す斜視図である。
【図３】袋重ね合わせ体を袋支持ラックに支持させた状態を示す斜視図である。
【図４】(a) 〜(c) は型押し手段によって袋どうしを接合方法を説明する説明図である。
【図５】(a) は型押し手段のパンチの要部を示す正面図、(b) はパンチの先端面を示す端面図、(c) はパンチの先端部の縦断面図である。
【図６】(a) 及び(b) は袋体支持ラックに支持させた袋重ね合わせ体の使用方法を説明する説明図である。
【図７】(a) 及び(b) は、同じく袋体支持ラックに支持させた袋重ね合わせ体の使用方法を説明する説明図である。
【符号の説明】
【００３１】
１            袋
２            前壁
３            後壁
４            襠
５            口部
７            把手
８            把手
１１          型押し手段
１２          パンチの先端厚肉円筒部
１３          パンチ
１５          基台
Ａ            袋重ね合わせ体
Ｋ            局部圧縮部
【図１】
2006306446.tif 000003
【図２】
2006306446.tif 000004
【図３】
2006306446.tif 000005
【図４】
2006306446.tif 000006
【図５】
2006306446.tif 000007
【図６】
2006306446.tif 000008
【図７】
2006306446.tif 000009